(57)【特許請求の範囲】
【請求項１】
ソケットを固定し、長手方向に移動可能且つ回転可能なソケットホルダであって、
細長いものであり、プレート及び摺動レールを備え、該摺動レールは、プレートの上面に凸設され、該摺動レールの上面に上開口が長手方向に全体に亘るように形成され、該摺動レールの上面とプレートの底面との間に摺動溝が上開口と連通するように形成される、レール部材と、
前記レール部材に取り付けられると共に、長手方向に沿った両側と、中央部と、複数の第一係止部とを有し、前記両側から中央部へ行くにつれて上方へ湾曲状に膨らむように形成され、前記中央部の上面が摺動レールへ延出し、該複数の第一係止部は、一直線に配列するように、位置決めプレートの上面の中央部にそれぞれ間隔をおいて凸設される、位置決めプレートと、
摺動可能かつ回転可能に摺動レールの摺動溝に取り付けられ、前記位置決めプレートの複数の第一係止部のうちの２つに係合される摺動台と、摺動台の上部に凸設され、前記上開口により摺動レールの外部に突出する保持部とを有し、前記摺動台に摺動台の底面から下方へ延設され、内環縁と複数の第二係止部とを有する結合凸縁が設けられ、該内環縁は、結合凸縁の内周に形成され、該複数の第二係止部は、それぞれ間隔において環状に配列するように内環縁の底面に形成され、そのうちの２つの第二係止部が対応する第一係止部に係合される、摺動可能且つ回転可能にレール部材に取り付けられる少なくとも１つの固定部材と、を有することを特徴とする長手方向に移動可能且つ回転可能なソケットホルダ。
【請求項２】
前記レール部材は連接レールを有し、該連接レールは、プレートの底面から延設され、その上面とプレートの底面との間に連通口が摺動レールの摺動溝と連通するように開口され、プレートとの間に連接溝が連通口と連通するように形成され、
前記位置決めプレートは、レール部材の連接レールに嵌め込まれ、２本のレール及び貫通凹部を有し、該２本のレールはそれぞれ、位置決めプレートの長手方向に沿った両側に位置するように位置決めプレートの底面から下方へ延設され、位置決めプレートをレール部材に嵌め込んだ時、前記レールが連接レールの連接溝に突出し、該貫通凹部は、位置決めプレートの長手方向に全体に亘るように位置決めプレートの底面に凹設され、位置決めプレートの長手方向に沿った両側と平行することを特徴とする請求項１に記載の長手方向に移動可能且つ回転可能なソケットホルダ。
【請求項３】
前記位置決めプレートまたは固定部材の摺動台が弾性を備えるものであることを特徴とする請求項２に記載の長手方向に移動可能且つ回転可能なソケットホルダ。
【請求項４】
前記第一係止部が位置決めプレートの上面に凸設され、
前記位置決めプレートは、それぞれ隣り合う２つの第一係止部の間に形成された複数の結合隙間を有し、
前記結合凸縁は、外環縁を有し、該外環縁が内環縁の周囲に位置するように結合凸縁の外周に形成され、対応する２つの結合隙間に係合され、該各第二係止部が凹部であることを特徴とする請求項３に記載の長手方向に移動可能且つ回転可能なソケットホルダ。
【請求項５】
前記複数の第一係止部のそれぞれは間隔をおいて位置決めプレートの上面に凹設され、該各第一係止部が凹部であり、
前記複数の第二係止部のそれぞれは間隔をおいて環状に配列するように摺動台の結合凸縁の内環縁の底面に凸設され、そのうちの２つの第二係止部が対応する第一係止部に係合され、該結合凸縁の外環縁が対応する２つの結合隙間に当接されることを特徴とする請求項３に記載の長手方向に移動可能且つ回転可能なソケットホルダ。
【発明の詳細な説明】
【技術分野】
【０００１】
本発明は、長手方向に移動可能且つ回転可能なソケットホルダに関するものである。
【背景技術】
【０００２】
従来のソケットホルダは、レール部材及び複数の固定部材を備え、その固定部材がソケットを保持するように摺動可能にレール部材に取り付けられ、ソケットホルダを回転させることによって、ソケットの表面にあるサイズマークまたは符号を使用者が視認できる位置まで調整することができる。
【先行技術文献】
【特許文献】
【０００３】
【特許文献１】台湾特許公告第Ｉ４６００６０号
【特許文献２】ＵＳ９，１２６，３２９
【発明の概要】
【発明が解決しようとする課題】
【０００４】
しかしながら、従来のソケットホルダは、ソケットを素早く且つスムーズに摺動させたり回転させたりするために、レール部材と固定部材との間に固定装置が取り付けられず、外部からの衝撃を受けた場合に、ソケットがずれたり回転したりして所定の位置に維持されることができなくなり、使用者がソケットのサイズマークまたは符号を視認し難くなるので、使用上の利便性に劣り、改良する必要があった。
【課題を解決するための手段】
【０００５】
本発明は前記の課題を鑑みてなされたものであり、長手方向に移動可能且つ回転可能なソケットホルダを提供する。
本発明の長手方向に移動可能且つ回転可能なソケットホルダは、ソケットを固定するためのものであり、
細長いものであり、プレート及び摺動レールを備え、該摺動レールは、プレートの上面に凸設され、該摺動レールの上面に上開口が長手方向に全体に亘るように形成され、該摺動レールの上面とプレートの底面との間に摺動溝が上開口と連通するように形成される、レール部材と、
前記レール部材に取り付けられると共に、長手方向に沿った両側と、中央部と、複数の第一係止部とを有し、前記両側から中央部へ行くにつれて上方へ湾曲状に膨らむように形成され、前記中央部の上面が摺動レールへ延出し、該複数の第一係止部は、一直線に配列するように、位置決めプレートの上面の中央部にそれぞれ間隔をおいて凸設される、位置決めプレートと、
摺動可能かつ回転可能に摺動レールの摺動溝に取り付けられ、前記位置決めプレートの複数の第一係止部のうちの２つに係合される摺動台と、摺動台の上部に凸設され、前記上開口により摺動レールの外部に突出する保持部とを有し、前記摺動台に摺動台の底面から下方へ延設され、内環縁と複数の第二係止部とを有する結合凸縁が設けられ、該内環縁は、結合凸縁の内周に形成され、該複数の第二係止部は、それぞれ間隔において環状に配列するように内環縁の底面に形成され、そのうちの２つの第二係止部が対応する第一係止部に係合される、摺動可能且つ回転可能にレール部材に取り付けられる少なくとも１つの固定部材とを有する。
【０００６】
かかる長手方向に移動可能且つ回転可能なソケットホルダにおいて、
前記レール部材は連接レールを有し、該連接レールは、プレートの底面から延設され、その上面とプレートの底面との間に連通口が摺動レールの摺動溝と連通するように開口され、プレートとの間に連接溝が連通口と連通するように形成され、
前記位置決めプレートは、レール部材の連接レールに嵌め込まれ、２本のレール及び貫通凹部を有し、該２本のレールはそれぞれ、位置決めプレートの長手方向に沿った両側に位置するように位置決めプレートの底面から下方へ延設され、位置決めプレートをレール部材に嵌め込んだ時、前記レールが連接レールの連接溝に突出し、該貫通凹部は、位置決めプレートの長手方向に全体に亘るように位置決めプレートの底面に凹設され、位置決めプレートの長手方向に沿った両側と平行することが好ましい。
【０００７】
かかる長手方向に移動可能且つ回転可能なソケットホルダにおいて、前記位置決めプレートまたは固定部材の摺動台が弾性を備えるものであることが好ましい。
【０００８】
かかる長手方向に移動可能且つ回転可能なソケットホルダにおいて、
前記第一係止部が位置決めプレートの上面に凸設され、
前記位置決めプレートは、それぞれ隣り合う２つの第一係止部の間に形成された複数の結合隙間を有し、
前記結合凸縁は、外環縁を有し、該外環縁が内環縁の周囲に位置するように結合凸縁の外周に形成され、対応する２つの結合隙間に係合され、該各第二係止部が凹部であることが好ましい。
【０００９】
かかる長手方向に移動可能且つ回転可能なソケットホルダにおいて、
前記複数の第一係止部のそれぞれは間隔をおいて位置決めプレートの上面に凹設され、該各第一係止部が凹部であり、
前記複数の第二係止部のそれぞれは間隔をおいて環状に配列するように摺動台の結合凸縁の内環縁の底面に凸設され、そのうちの２つの第二係止部が対応する第一係止部に係合され、該結合凸縁の外環縁が対応する２つの結合隙間に当接されることが好ましい。
【発明の効果】
【００１０】
本発明の長手方向に移動可能且つ回転可能なソケットホルダは、位置決めプレートの上面に第一係止部が設けられると共に、各固定部材の摺動台の底面に複数の第二係止部が設けられることから、第一係止部が第二係止部に係合されことによって、固定部材がレール部材に対して縦方向に摺動したり回転したりしても所望の位置に位置決めることができ、使用の利便性を向上させることができる。
【図面の簡単な説明】
【００１１】
【図１】本発明の第一実施例の斜視図である。
【図２】本発明の第一実施例の部分拡大分解斜視図である。
【図３】本発明の第一実施例の側面拡大断面図である。
【図４】図３の４-４線の拡大断面図である。
【図５】本発明の第一実施例の上面視部分断面図である。
【図６】本発明の第一実施例において、使用状態を示すための部分拡大の説明図である。
【図７】本発明の第二実施例の部分拡大分解斜視図である。
【図８】本発明の第二実施例の側面部分拡大断面図である。
【図９】本発明の第二実施例の上面視部分断面図である。
【発明を実施するための形態】
【００１２】
図１乃至図４に示すように、本発明に係る長手方向に移動可能且つ回転可能なソケットホルダの第一実施例は、レール部材１０と、位置決めプレート２０と、少なくとも１対の固定部材３０とを有する。
【００１３】
前記レール部材１０は、細長いアルミ押し出し材からなるものであり、プレート１１と、摺動レール１２と、連接レール１３と、掛止レール１４とを備え、該プレート１１は、細長く形成され、上面と、底面と、前端と、後端とを有し、該摺動レール１２は、プレート１１の上面に凸設され、該摺動レール１２の上面に上開口１２１が長手方向に全体に亘るように形成され、該摺動レール１２の上面とプレート１１の底面との間に摺動溝１２２が上開口１２１と連通するように形成され、該連接レール１３は、プレート１１の底面から延設され、その上面とプレート１１の底面との間に連通口１３１が摺動レール１２の摺動溝１２２と連通するように形成され、プレート１１との間に連接溝１３２が連通口１３１と連通するように形成され、該掛止レール１４は、連接レール１３の底面から延設され、その底面に底開口１４１が長手方向に全体に亘るように形成される。前記プレート１１と摺動レール１２と掛止レール１４とは、一体に成形されることが好ましい。
【００１４】
前記位置決めプレート２０は、弾性を備え、レール部材１０の連接レール１３に嵌め込まれ、長手方向に沿った両側と、両端と、中央部と、２本のレール２１と、貫通凹部２２と、複数の第一係止部２３と、複数の結合隙間２４とを有し、該位置決めプレート２０が長手方向に沿った両側から中央部へ行くにつれて上方へ湾曲状に膨らむように形成され、その中央部の上面が連接レール１３の連通口１３１へ隆起する。その位置決めプレート２０が一体に成形されるものであることが好ましい。
また、前記２本のレール２１はそれぞれ、位置決めプレート２０の長手方向に沿った両側に位置するように位置決めプレート２０の底面から下方へ延設され、位置決めプレート２０をレール部材１０に嵌め込んだ時、前記レール２１が連接レール１３の連接溝１３２に突出し、前記貫通凹部２２は、位置決めプレート２０の長手方向に全体に亘るように位置決めプレート２０の底面に凹設され、位置決めプレート２０の長手方向に沿った両側と平行すると共に、連接レール１３の連接溝１３２と連通し、前記貫通凹部２２によって位置決めプレート２０の中央部と連接レール１３との間にスペースが形成され、該スペースにより位置決めプレート２０の中央部がレール部材１０に対して変形することが可能となる。
【００１５】
前記複数の第一係止部２３は、位置決めプレート２０の両端の間に位置すると共に、一直線に配列するように、位置決めプレート２０の上面の中央部にそれぞれ間隔をおいて凸設され、前記複数の結合隙間２４はそれぞれ、隣り合う２つの第一係止部２３の間に形成されている。
【００１６】
前記少なくとも１つの固定部材３０は、摺動可能且つ回転可能にレール部材１０に取り付けられ、該各固定部材３０が摺動台３１及び保持部３２を備え、該摺動台３１は、弾性を備える円形の座体であり、摺動可能かつ回転可能に摺動レール１２の摺動溝１２２に取り付けられて、位置決めプレート２０の複数の第一係止部２３のうちの２つに係合される。また、前記摺動台３１の外周面に結合凸縁３１１が設けられ、前記摺動台３１の底面が連接レール１３の連通口１３１に面すると共に、前記摺動台３１の上面が摺動レール１２の上開口１２１に面し、また、固定部材３０が底面を介して位置決めプレート２０の複数の第一係止部２３のうちの２つに係合される。
【００１７】
図５に示すように、前記結合凸縁３１１は、摺動台３１の底面から下方へ延設され、内環縁３１２と、外環縁３１３と、複数の第二係止部３１４とを備え、該内環縁３１２は、結合凸縁３１１の内周に形成されて外径ｄを有し、該外環縁３１３は、内環縁３１２の周囲に位置するように結合凸縁３１１の外周に形成され、対応する２つの結合隙間２４に係合されて外径Ｄを有し、前記外環縁３１３の外径Ｄが前記内環縁３１２の外径ｄよりも大きいため、外環縁３１３が内環縁３１２の周囲に形成され、さらに、前記複数の第二係止部３１４のそれぞれは、間隔をおいて環状に配列するように結合凸縁３１１の内環縁３１２の底面に凹設され、そのうちの２つの第二係止部３１４が対応する第一係止部２３に係合される。それらの第二係止部３１４が凹部であることが好ましい。
【００１８】
前記保持部３２は、摺動台３１の上部に凸設され、摺動レール１２の上開口１２１から摺動レール１２の外部に突出し、中空且つ方形柱状を呈する挿設座であり、１つの側面に当接凸部３２１が凸設される。
【００１９】
図５及び図６に示すように、本発明の第一実施例のソケットホルダを使用する時、複数のソケット６０をそれぞれ着脱自在に対応する固定部材３０の保持部３２に装着すると、該保持部３２の当接凸部３２１がソケット６０の内壁面にある凹部に嵌め込まれることになり、それにより、ソケット６０を固定部材３０の保持部３２に位置決めできる。図６に示すように、複数のソケット６０の外表面にあるサイズマークまたは符号を使用者に面するように一直線に配列してない場合に、使用者がソケット６０をレール部材１０に対して時計回りまたは反時計回りに回してサイズマークまたは符号を使用者に面するように調整する。この過程において、ソケット６０が固定部材３０保持部３２に組み合わされることから、ソケット６０と共に固定部材３０の摺動台３１が位置決めプレート２０に対して回転する。
【００２０】
そのソケット６０を符号またはサイズマークが使用者に面するように回す時、第二係止部３１４が第一係止部２３に係止されると共に、外環縁３１３が結合隙間２４に係止されることによって、摺動台３１が位置決めプレート２０に係合されることができる。すなわち、その第二係止部３１４と第一係止部２３との係止関係、及び外環縁３１３と結合隙間２４との係止関係により、固定部材３０を位置決めプレート２０に係止してレール部材１０に位置決めすることができる。そのため、固定部材３０がソケット６０の符号またはサイズマークを使用者に面するように調整して位置決めプレート２０に係止され位置決めされれば、使用者が一目でソケット６０のサイズを確認することができる。
【００２１】
また、図７乃至図９に示すように、本発明の第二実施例のソケットホルダは、殆ど第一実施例と同一であるが、以下の点において異なる。
複数の第一係止部２３Ａのそれぞれは間隔をおいて位置決めプレート２０Ａの上面に凹設される。該各第一係止部２３Ａが凹部であることが好ましい。
複数の第二係止部３１４Ａのそれぞれは間隔において環状に配列するように摺動台３１Ａの結合凸縁３１１Ａの内環縁３１２Ａの底面に凸設され、そのうちの２つの第二係止部３１４Ａが対応する第一係止部２３Ａに係合される。また、結合凸縁３１１Ａの外環縁３１３Ａが対応する２つの結合隙間２４Ａに当接される。本実施例の使用方法が第一実施例と同一であることから、詳細な説明を省略する。
【００２２】
上述した第一及び二の実施例において、その結合凸縁３１１、３１１Ａの第二係止部３１４、３１４Ａが位置決めプレート２０、２０Ａのうちの２つの第一係止部２３、２３Ａに係合されると共に、結合凸縁３１１、３１１Ａの外環縁３１３、３１３Ａが対応する結合隙間２４、２４Ａに係合されるため、固定部材３０をレール部材１０に確実に位置決めることができる。
【符号の説明】
【００２３】
１０              レール部材
１１              プレート
１２              摺動レール
１２１            上開口
１２２            摺動溝
１３              連接レール
１３１            連通口
１３２            連接溝
１４              掛止レール
２０、２０Ａ      位置決めプレート
２１              レール
２２              貫通凹部
２３、２３Ａ      第一係止部
２４、２４Ａ      結合隙間
３０              固定部材
３１、３１Ａ      摺動台
３１１、３１１Ａ  結合凸縁
３１２、３１２Ａ  内環縁
３１３、３１３Ａ  外環縁
３１４、３１４Ａ  第二係止部
３２              保持部
３２              保持部
３２１            当接凸部
６０              ソケット
ｄ                外径
Ｄ                外径
【図１】
0006272397.tif 000002
【図２】
0006272397.tif 000003
【図３】
0006272397.tif 000004
【図４】
0006272397.tif 000005
【図５】
0006272397.tif 000006
【図６】
0006272397.tif 000007
【図７】
0006272397.tif 000008
【図８】
0006272397.tif 000009
【図９】
0006272397.tif 000010